(57)【要約】【課題】前面パネルのディスク挿入口との取付けの寸法精度を高めることができ、しかも、メカニズムシャーシの振動が抑えられ高い音質が得られるディスク装置のメカニズムシャーシ固定構造を提供する。【解決手段】記録媒体の挿脱口が形成された前面パネル４がメインシャーシ３に固着されるディスク装置において、メカニズムシャーシ１の後部が前記メインシャーシ３に立設された第１のステー５に固定され、前記メカニズムシャーシ１の前部が前面パネル４に固定された第２のステー６と前記メインシャーシ３に立設された第３のステー７に固定される。【選択図】図１
2007102976.tif 000002
【特許請求の範囲】
【請求項１】
記録媒体の挿脱口が形成された前面パネルがメインシャーシに固着されるディスク装置において、メカニズムシャーシの後部が前記メインシャーシに立設された第１のステーに固定され、前記メカニズムシャーシの前部が前面パネルに固定された第２のステーと前記メインシャーシに立設された第３のステーに固定されることを特徴とするディスク装置のメカニズムシャーシ固定構造。
【請求項２】
前記第２のステーと第３のステーが共通のねじによりメカニズムシャーシに締着される請求項１のディスク装置のメカニズムシャーシ固定構造。
【発明の詳細な説明】
【技術分野】
【０００１】
この発明はディスク装置に係わり、特にそのメカニズムシャーシ固定構造に関する。
【背景技術】
【０００２】
従来のＣＤプレーヤやＤＶＤプレーヤ等のディスク装置では、ディスクモータ、光ピックアップやディスクトレイ等がメカニズムシャーシに支持され、このメカニズムシャーシがメインシャーシに固定されている。ディスクトレイはディスクローディングに用いられ、前面パネルのディスク挿入口から出入自在にメカニズムシャーシに支持されている。
【０００３】
図５に上記従来のディスク装置のメカニズムシャーシ固定構造の例を示す。図に示すメインシャーシ３には前面パネル４が固定されている。ディスクモータおよび光ピックアップを支持し、さらに、ディスクトレイ２を前面パネル４のディスク挿入口から出入自在に支持するメカニズムシャーシ１の後部はメインシャーシ３に締着された第１のステー５に固定されている。
【０００４】
ディスクトレイ２と前面パネル４のディスク挿入口との取付けの寸法精度を高めるためにメカニズムシャーシ１の前部は前面パネル４に締着された第２のステー６に固定されている。
【０００５】
上記した従来のディスク装置のメカニズムシャーシ固定構造では、メカニズムシャーシの取り付けが簡単かつ少ない部品点数で行われている。しかしながらメカニズムシャーシの前方が取付けられている前面パネル４は上下方向の変形に対して剛性が小さいため、加振されると大きく振動し、また、メカニズムシャーシ自身で発生した振動も減衰しにくいという問題があった。このため、メカニズムシャーシの振動が音質に悪影響を与えていた。
【０００６】
実開平６−８４５９７公報に提案された記録再生装置は、メカニズム本体と一体化されシャーシの支持部に締着されるブラケットに設けた押圧片とシャーシの支持部とでプリント基板を挾持している。
【０００７】
しかしながら、実開平６−８４５９７公報に提案された記録再生装置ではメカニズム本体が前面パネルに固定されたステーで固定されていない。従って、この記録再生装置はディスクトレイと前面パネルのディスク挿入口との取付けの寸法精度を高めることができない。
【特許文献１】実開平６−８４５９７公報、段落００１０、段落００１１、図１、図２
【発明の開示】
【発明が解決しようとする課題】
【０００８】
この発明は上記した点に鑑みてなされたものであって、その目的とするところは、前面パネルのディスク挿入口との取付けの寸法精度を高めることができ、しかも、メカニズムシャーシの振動が抑えられ高い音質が得られるディスク装置のメカニズムシャーシ固定構造を提供することにある。
【課題を解決するための手段】
【０００９】
この発明のディスク装置のメカニズムシャーシ固定構造は、記録媒体の挿脱口が形成された前面パネルがメインシャーシに固着されるディスク装置において、メカニズムシャーシの後部が前記メインシャーシに立設された第１のステーに固定され、前記メカニズムシャーシの前部が前面パネルに固定された第２のステーと前記メインシャーシに立設された第３のステーに固定されるものである。
【００１０】
また、前記ディスク装置のメカニズムシャーシ固定構造において、前記第２のステーと第３のステーが共通のねじによりメカニズムシャーシに締着されるものである。
【発明の効果】
【００１１】
この発明のディスク装置のメカニズムシャーシ固定構造によれば、前面パネルのディスク挿入口との取付けの寸法精度を高めることができ、しかも、メカニズムシャーシの振動が抑えられ高い音質が得られる。
【発明を実施するための最良の形態】
【００１２】
以下この発明を実施するための最良の形態を実施例に即して説明する。図１はこの発明の実施例であるディスク装置の部分を示す斜視図である。図１に示すメインシャーシ３には前面パネル４が固定されている。ディスクモータおよび光ピックアップを支持し、さらに、ディスクトレイ２を前面パネル４のディスク挿入口から出入自在に支持するメカニズムシャーシ１の後部はメインシャーシ３に締着された第１のステー５に固定される。
【００１３】
前面パネル４には第２のステー６が締着されてその先端部はメカニズムシャーシ１の前部に及んでいる。第３のステー７はメインシャーシ３に締着されその上部が第２のステー６の先端部に及んでいる。メカニズムシャーシ１の前部、第２のステー６の先端部および第３のステー７の上部は共通のねじにより一体とななるように締着されている。
【００１４】
このようにメカニズムシャーシ１の前部は前面パネル４に締着された第２のステー６に固定されているのでディスクトレイ２と前面パネル４のディスク挿入口との取付けの寸法精度を高めることができる。さらに、メカニズムシャーシ１の前部がメインシャーシ３に締着された第３のステー７に固定されているのでメカニズムシャーシ１の振動が抑えられる。
【００１５】
図１に示す実施例のディスク装置と図５に示す従来のディスク装置との耐振動特性を比較するために、本発明のメカニズムシャーシ１と従来のメカニズムシャーシの各々３箇所にに上下方向の加速度９８００ｍｍ／ｓ2 で振動周波数を変化させ加振し各測定点（図１および５に示すＡ点：センター、Ｂ点：左前方、Ｃ点：右前方）の加振周波数の加速度を測定した。加速度は加振方向を＋で表し、加振方向と逆方向を−で表した。結果を第２図の表および図３および図４に示す。図３は実施例の装置の測定結果を示すグラフであり、図４は従来例の装置の測定結果を示すグラフである。
【００１６】
図２の表に示すように、実施例のものは従来例のもの比較して第１次共振点（約８２Ｈｚ）での振動加速度が約１／２に低下している。さらに、図３および図４から第１次共振点以上の周波数でも実施例のものは従来例のもの比較して振動加速度が大幅に抑えられている。このように振動が抑えられるため、メカニズムシャーシ自体で発生する振動も抑えられ高度の音質特性が得られた。
【００１７】
実施例のものは第２のステー６と第３のステー７が共通のねじでメカニズムシャーシ１に締着されているので、組立て工数が削減され、また、省スペース化が可能となる。
【００１８】
実施例は以上のように構成されているが発明はこれに限られず、例えば、第２のステー６と第３のステー７を別々にメカニズムシャーシ１に締着してもよい。
【図面の簡単な説明】
【００１９】
【図１】この発明の実施例であるディスク装置の部分を示す斜視図である。
【図２】実施例のディスク装置と従来のディスク装置との振動解析結果を示す表である。
【図３】実施例のディスク装置の振動解析結果を示すグラフである。
【図４】従来のディスク装置の振動解析結果を示すグラフである。
【図５】従来のディスク装置の部分を示す斜視図である。
【符号の説明】
【００２０】
１  メカニズムシャーシ
２  ディスクトレイ
３  メインシャーシ
４  前面パネル
５  第１のステー
６  第２のステー
７  第３のステー
【図１】
2007102976.tif 000003
【図２】
2007102976.tif 000004
【図３】
2007102976.tif 000005
【図４】
2007102976.tif 000006
【図５】
2007102976.tif 000007
【手続補正書】
【提出日】平成18年4月24日(2006.4.24)
【手続補正１】
【補正対象書類名】特許請求の範囲
【補正対象項目名】請求項１
【補正方法】変更
【補正の内容】
【請求項１】
メインシャーシと、
記録媒体の挿脱口が形成され、前記メインシャーシの前方に立設した前面パネルと、
前記記録媒体の挿脱口より記録媒体を出入自在に支持し、前部を前記前面パネルに固着したメカニズムシャーシとからなる、
ディスク装置において、
前記メカニズムシャーシの後部が、前記メインシャーシに立設された第１のステーによって前記メインシャーシに固定され、
前記メカニズムシャーシの前部が、前記前面パネルに固定された第２のステーによって前記前面パネルに固定されると共に、前記メインシャーシに立設された第３のステーによって前記メインシャーシに固定されることを特徴とするディスク装置のメカニズムシャーシ固定構造。
【手続補正２】
【補正対象書類名】明細書
【補正対象項目名】０００９
【補正方法】変更
【補正の内容】
【０００９】
この発明のディスク装置のメカニズムシャーシ固定構造は、メインシャーシと、記録媒体の挿脱口が形成され、前記メインシャーシの前方に立設した前面パネルと、前記記録媒体の挿脱口より記録媒体を出入自在に支持し、前部を前記前面パネルに固着したメカニズムシャーシとからなる、ディスク装置において、前記メカニズムシャーシの後部が、前記メインシャーシに立設された第１のステーによって前記メインシャーシに固定され、前記メカニズムシャーシの前部が、前記前面パネルに固定された第２のステーによって前記前面パネルに固定されると共に、前記メインシャーシに立設された第３のステーによって前記メインシャーシに固定されるものである。